(57)【特許請求の範囲】
【請求項１】
ベースと、該ベースに植え付けられたヘア材と、該ヘア材の根部側の面の全部に形成される第１粘着層と、タンク層と、皮膚に接着される第２粘着層とからなり、
上記ベースは極薄かつ透湿性のフィルム状素材からなり、
上記ヘア材は植付け基端となる根部を上記ベースの一面に密着させて設けるとともに、自由端部を他面側に現出させ、
上記根部はヘア材の太さ分だけ上記ベースの一面上に突出してなり、
上記第１粘着層は粘着力が比較的強くかつゲル化の程度が比較的大なる性質の粘着剤からなり、
上記第２粘着層は粘着力が比較的弱くかつゲル化の程度が比較的小なる性質の粘着剤からなり、
上記タンク層は上記ベースと同一のフィルム状素材からなり、
上記第１粘着層と上記第２粘着層とを上記タンク層を介して隣り合わせに設け、
上記ベース、上記第１粘着層、上記タンク層及び上記第２粘着層の順に積層され、実質的に２次元形状の多層構造体として形成されることを特徴とする汎用かつら。
【請求項２】
請求項１記載の汎用かつらにおいて、上記ヘア材は自由端部を引張状態において上記ベースに植え付けられることを特徴とする汎用かつら。
【請求項３】
請求項１記載の汎用かつらにおいて、上記第１粘着層の粘着力は上記第２粘着層の粘着力の約５倍程度であることを特徴とする汎用かつら。
【請求項４】
請求項１記載の汎用かつらにおいて、上記ヘア材は上記ベースにランダムに植え付けられることを特徴とする汎用かつら。
【発明の詳細な説明】
【技術分野】
【０００１】
本願発明は、使い捨てかつら、とくに定期的にリメイク可能な汎用かつらに関する。
【背景技術】
【０００２】
かつらとくに頭部に着用するかつらは毎日使用するものであるため、経時的に劣化する。
【０００３】
一般に普及している手作業の植付けにより製造されたかつらは価格が数十万円と非常に高価であるため、例えば変色や腰折れ等経時的に多少劣化してもそのまま使用することが多い。このため、ただでさえ着用することにコンプレックスのあるユーザにとって、劣化するとかつらであることが判明し易くなるので、さらに着用に抵抗となっていた。
【０００４】
そこで、本願出願人が提案し、商品化にこぎつけた使い捨てをすることができるかつらが我が国だけでなく海外でも好評を博している。
【０００５】
この使い捨てかつらとしては、例えば特許第４００９９１０号がある。
特許文献１によるかつら３０は図９（Ａ）に示すような構成となっており、ヘア材３１の根部３５が極薄ベース３３の一面に大きく突出され、この根部３５の内側とベース３３との間を紫外線（ＵＶ）硬化剤からなる接着剤３４で強固に固定し、その外側に粘着層３７を設けていた。
【０００６】
この粘着層３７は粘着力が比較的強くかつ硬い性質の粘着剤からなり、皮膚に装着したとき不測に剥離しないように構成されていた。
【０００７】
また図９（Ｂ）に示すように、皮膚２０に装着したとき、矢示の如き光の乱反射によるベースのてかり防止、ベース方向への押圧力Ｆによるヘア材の抜け防止を奏すべく、根部３５と他部との間に形成された凹凸３８、３９が反転する反転現象を惹起するように構成されていた。しかしながら、これにより皮膚との接着は点接着Ｓとされていた（図７参照）。
【０００８】
このため、着用後の取り外しにおいて、図１０に示すように、強い粘着力のため、非常に多くの皮膚２０の角質層２１が剥離してしまうという難があった。
【０００９】
角質層２１の剥離を防止するには、粘着力の比較的弱い粘着剤（以下、「弱い粘着剤」と略称する）を用いるのが効果的であり、本願発明者もこれを試みた。しかしながら、粘着力の比較的強い粘着剤（以下、「強い粘着剤」と略称する）の上に弱い粘着剤を重ねると、弱い粘着剤の粘着力も強力になってしまい、問題の解決にならないことが判明した。
【００１０】
また、点接着に関しては、皮膚２０との接着を面状接着とすることによる解決が期待できるところ、この面状接着とするためには、第１粘着層と第２粘着層との間に介在させる層の厚さを比較的厚くすれば根部の突出を吸収できる期待がある。しかしながら、介在層を厚くすると、かつら全体の厚さが大となるため、とくに生際がかつら然となり、見栄えが極端に悪化する難がある。
【００１１】
また、強い粘着剤の場合は、剥離された粘着層の粘着面に付着された角質層２１を除去することが実質上できない難がある。
【００１２】
さらに強い粘着剤を用いたかつらの場合は、皮膚２０に該強い粘着剤を残存させてしまうリスクがあり、また着用をユーザが自ら行うとき、粘着剤の粘着力が強力であるためベースが縮み、所望の部位に上手く被着させることが困難な場合があった。
【００１３】
このようにかつらの場合は製品厚による制約があるため、粘着力と面状接着の点で相反するような関係にあった。
【先行技術文献】
【特許文献】
【００１４】
【特許文献１】特許第４００９９１０号
【発明の概要】
【発明が解決しようとする課題】
【００１５】
本願発明は上記のような背景において、皮膚にやさしい弱い粘着剤を用いるにもかかわらず、皮膚に面状接着させることを可能とし、これにより長期間使用することができる汎用かつらを供することを目的とする。
【００１６】
また着用動作が容易なかつらを供することをも目的とする。
【課題を解決するための手段】
【００１７】
上記目的達成のため、本願発明による汎用かつらは、ベースと、該ベースに植え付けられたヘア材と、該ヘア材の根部側の面の全部に形成される第１粘着層と、タンク層と、皮膚に接着される第２粘着層とからなり、上記ベースは極薄かつ透湿性のフィルム状素材からなり、上記ヘア材は植付け基端となる根部を上記ベースの一面に密着させて設けるとともに、自由端部を他面側に現出させ、上記根部はヘア材の太さ分だけ上記ベースの一面上に突出してなり、上記第１粘着層は粘着力が比較的強くかつゲル化の程度が比較的大なる性質の粘着剤からなり、上記第２粘着層は粘着力が比較的弱くかつゲル化の程度が比較的小なる性質の粘着剤からなり、上記タンク層は上記ベースと同一のフィルム状素材からなり、上記第１粘着層と上記第２粘着層とを上記タンク層を介して隣り合わせに設け、上記ベース、上記第１粘着層、上記タンク層及び上記第２粘着層の順に積層され、実質的に２次元形状の多層構造体として形成されることを特徴とする。
また、請求項１記載の汎用かつらにおいて、上記ヘア材は自由端部を引張状態において上記ベースに植え付けられることを特徴とする。
また、請求項１記載の汎用かつらにおいて、上記第１粘着層の粘着力は上記第２粘着層の粘着力の約５倍程度であることを特徴とする。
また、請求項１記載の汎用かつらにおいて、上記ヘア材は上記ベースにランダムに植え付けられることを特徴とする。
【発明の効果】
【００１８】
本願発明によれば、皮膚２０に接する第２粘着層が、タンク層を介して、突部の残存する第１粘着層と積層されるから、第１粘着層に残存する根部による突出がタンク層の介在により軽減される。この結果、第２粘着層が皮膚に面状に接着することができ、弱い粘着剤であるにもかかわらず、粘着力が長期間保持される。
【００１９】
またタンク層の介在により、第２粘着層の弱い粘着剤のゲル化の移行が妨げられ、第２粘着層の粘着力が弱いまま長期間維持される。
【００２０】
よって皮膚に接着される粘着剤の粘着力が比較的弱くても皮膚の全面に接着しているから接着保持力が維持され、不測の脱落を防止することができる。
【００２１】
かつらの取外しにおいて、皮膚に接着される第２粘着層の粘着力は比較的弱いので、皮膚の角質層は殆んど剥離されないで済む。
【００２２】
また第２粘着層の粘着力は比較的弱いので、層面に付着される角質層も水洗いにより簡単に除去することができる。これにより粘着面の活性化を図ることができ、複数回の繰返し使用を可能とする。
【００２３】
この種のかつらは極薄のフィルムベースからなり、このベースに強い粘着剤が付与されると、その硬化に伴ないベースフィルムが縮減するところ、本願発明によるベースにはヘア材が植え付けられており、このヘア材が一種の芯材として作用する。しかも、第１粘着層は、ヘア材の植え付けられた上記ベースと、該ベースと同一のフィルム状素材からなるタンク層により積層接着され、サンドイッチ構造となっている。よって比較的強い粘着力を有する第１粘着層による縮減力を規制するので、ベースがくしゃくしゃに縮減するのを防止する。
【００２４】
さらにタンク層がベースと同一のフィルム状素材からなるため、粘着剤との相性が良好であり、この点でもベースが過度に縮減傾向となることを防止し、また水分吸湿性の低下を防止する。
【００２５】
ベースが縮んでいないので、装着の際、取扱いが容易であり、また取外しの際ベースに引張負荷がかかっても伸び過ぎが制約されるので、ハンドリングの容易性がある。
【００２６】
第２粘着層は、その構成面が上記のようなヘア材の芯材作用や多層構造により、３次元的に変形したり縮減したりすることが防止される。よって第２粘着層の除去が容易であり、リメイク可能であり、かつ、リメイクの容易性がある。
【図面の簡単な説明】
【００２７】
【図１】本願発明による汎用かつらの実施の形態を示す背面図である。
【図２】（Ａ）は本願発明による汎用かつらの一部を拡大した断面図、（Ｂ）は（Ａ）のＢ部を拡大した断面図である。
【図３】本願発明に使用するヘア材の横断面図である。
【図４】本願発明による汎用かつらの使用状態を示す平面図である。
【図５】本願発明による汎用かつらの作業工程を示す説明図である。
【図６】本願発明による汎用かつらの効果の説明に使用する皮膚の概略拡大断面図である。
【図７】図６の対比例としての概略拡大断面図である。
【図８】本願発明による汎用かつらの効果の説明に使用する皮膚の一部を拡大した概略断面斜視図である。
【図９】（Ａ）は従来の使い捨てかつらの一部を拡大した断面図、（Ｂ）は使用時の反転現象を示す一部拡大断面図である。
【図１０】従来の汎用かつらの説明に使用する皮膚の一部を拡大した概略断面斜視図である。
【発明を実施するための形態】
【００２８】
次に、実施の形態を示す図面に基づき本願発明による汎用かつらをさらに詳しく説明する。なお、便宜上同一の機能を奏する部分には同一の符号を付してその説明を省略する。
【００２９】
本願発明による汎用かつら１は、ベース３と、該ベース３に植え付けられたヘア材５と、該ヘア材５の根部７を点状に固定する紫外線（ＵＶ）硬化剤９と、上記根部７の面即ち上記ベース３の裏面全面を上記紫外線（ＵＶ）硬化剤９の上から均等な厚さで形成される第１粘着層１１と、該第１粘着層１１の裏面全面に均等な厚さで形成されるタンク層１３と、該タンク層１３の裏面全面に均等な厚さで形成され頭部の皮膚２０に接着される第２粘着層１５とからなり、実質的に２次元形状の積層体として形成される。１７は剥離紙であり、第２粘着層１５の皮膚２０に接着される面に設けられる。２２は自毛である。
【００３０】
上記ベース３は、厚さＴ1が例えば約３０μｍ程度の極薄かつ透湿性のフィルム状素材例えばポリウレタンからなる。上記ヘア材５は、ポリエステル繊維からなり、植付け基端となる根部７を上記ベース３の裏面に密着させて設け、上記ベース３の表面側に自由端部を現出させる。上記ヘア材５は上記ベース３にランダムに植え付けられる。上記根部７はベース３の１本分の太さだけ上記ベース３の裏面に突出してなる。
【００３１】
ヘア材５の直径は、図３に示すように、Ｄ1が約０．０４ｍｍ〜０．０５ｍｍ、１対としたＤ2が約０．０８ｍｍである。
【００３２】
上記第１粘着層１１は、主成分がシリコンとアクリルとの混合からなる粘着剤であって、粘着力が比較的強くかつゲル化の程度が比較的大なるいわゆる硬い性質の粘着剤からなり、厚さＴ2が上記ベース３厚の倍の約６０μｍにて形成される。他方、上記第２粘着層１５は主成分がシリコンとアクリルとの混合からなる粘着剤であって、粘着力が比較的弱くかつゲル化の程度が比較的小なるいわゆる柔らかい性質の粘着剤からなり、厚さＴ4が上記第１粘着層１１と同厚の約６０μｍにて形成される。
【００３３】
具体的には、粘着力の程度（引きはがし粘着力）は、第１粘着層１１で１６．５Ｎ／２０ｍｍ幅程度、第２粘着層１５で３Ｎ／２０ｍｍ幅程度である。この粘着力の測定値はＪＩＳ  Ｚ  ０２３７第１０項（粘着力）に準拠し試験板に対する粘着力をいうが、上記ＪＩＳの粘着力では試験板をステンレス（ＳＵＳ）板として測定するのに対し、本願発明ではベークライト板を試験板として測定する。「ゲル化」とは粘着剤の接着成分が半固体状に変化することをいい、具体的な指標は、ＪＩＳ  Ｚ  ０２３７第１３頁（保持力）を参考にするものの測定が困難であるので、第１粘着層１１と第２粘着層１５との相対評価とする。
【００３４】
上記タンク層１３は上記ベース３と同一のフィルム状素材例えばポリウレタンからなり、厚さＴ3が上記ベース３と同厚の約３０μｍにて、上記第１粘着層１１と上記第２粘着層１５との間に隣り合わせに積層され、サンドイッチ構造に接着されている。
【００３５】
なお、人体の皮膚の角質層２１は２週間毎に新陳代謝されると言われている。
【００３６】
本願発明によるかつらは、図４に示すように、自毛のない部分に適用されるとき、とくに効果を発揮する。
【００３７】
次に本願発明による汎用かつら１の製造工程について説明する。ベース３に植え付けられたヘア材５に対し（図５（Ａ））、供給ピン２３により紫外線（ＵＶ）硬化剤９が点状に付与される（図５（Ｂ））。この紫外線（ＵＶ）硬化剤９の供給の際、ヘア材５を引張状態として根部７をベース３に密着させる。これにより上記紫外線（ＵＶ）硬化剤９は図５（Ｃ）に示すように略すべてが根部７の外側に喰み出た状態となり、この状態で根部７はベース３上に突出して固定される。
【００３８】
次いで、強い粘着剤がベース３の全面に供給され、第１粘着層１１が形成される。このとき、図２（Ｂ）に示すように、ベース３上における根部７の突設状態は解消されていない。
【００３９】
次いで、上記第１粘着層１１の全面にタンク層１３が積層され、上記第１粘着層１１に接着される（図２（Ａ）参照）。
【００４０】
次いで、上記タンク層１３の全面に弱い粘着剤が供給され、第２粘着層１５が形成される。このとき、図２（Ｂ）に示すように、根部７の突設状態は根部７の外側に順次積層された上記タンク層１３及び上記第２粘着層１５により略解消され、皮膚２０に接する粘着面具体的には第２粘着層１５が凹凸の殆どない面となる。
【００４１】
上記汎用かつら１を装着するには、剥離紙１７を剥離し、装着部位例えば頭部に第２粘着層１５を貼り付けることにより行なう。
【００４２】
本実施の形態によれば次の如き作用効果がある。
【００４３】
<１．面状接着による粘着保持力>
まず、第２粘着層１５はタンク層１３の存在により略フラットな面となっている図２（Ａ）参照）。しかも、タンク層１３が透湿性のある素材からなるため、皮膚２０に装着中発せられる汗等を吸収し、これにより根部による突出が益々軽減される。
【００４４】
この結果、第２粘着層１５が皮膚２０に面状に接着することができ、弱い粘着剤であるにもかかわらず、粘着力が長期間保持される。
【００４５】
この点につき、第２粘着層１５中のゲル化成分は、汗中の水分が仮に第２粘着層１５に移行すると、粘着剤の分子構造が破壊され、容易にゲル化されて粘着力が過度に強くなる。しかしながら本実施の形態によれば、タンク層１３が第２粘着層１５と第１粘着層１１との間に介在することにより、上記ゲル化の移行が阻止されるから、弱い粘着力が長期間保持されるのである。
【００４６】
顕微鏡的視点において、図６に示すように、皮膚２０には若干の凹凸があるところ、上記面状接着をする面は極薄の多層構造体であるから、粘着面が皮膚２０の凹凸面に対応して自在に密着されるので、装着される皮膚２０の全面に接着することができる。
【００４７】
よって皮膚２０に接着される粘着剤の粘着力が比較的弱くても皮膚２０の全面に接着しているから接着保持力が維持され、不測の脱落を防止することができる。この点につき、図７に示すように粘着層１５’が皮膚２０に点状にしか接着していないと接着保持力が維持されないので、従来のように粘着層１５’の粘着力を比較的強くかつ硬い性質の粘着剤から構成しないと不測に脱落するおそれがある。しかしながら、粘着層１５’の粘着力を比較的強くかつ硬い性質の粘着剤から構成すると、図１０に示すように非常に多くの皮膚２０の角質層２１が剥離してしまう。
【００４８】
また汗等水分の存在は粘着力に悪影響を及ぼすところ、第２粘着層１５に浸み込んでくる汗等はタンク層１３に吸収されるため、第２粘着層１５には汗等水分の影響が少なくなり粘着力が保持される。これによっても、比較的弱い粘着力しか有していない第２粘着層１５による皮膚２０への接着が維持される。
【００４９】
かつらの取外しにおいて、皮膚２０に接着される第２粘着層１５の粘着力は比較的弱いので、図８に示すように皮膚２０の角質層２１は殆んど剥離されないで済む。
【００５０】
また第２粘着層１５の粘着力は比較的弱いので、層面に付着される角質層２１も水洗いにより簡単に除去することができる。これにより粘着面の活性化を図ることができ、複数回（例えば３０回程度）の繰返し使用を可能とする。
【００５１】
<２．ハンドリングの容易性>
上記ベース３にはヘア材５が植え付けられており、このヘア材５が一種の芯材として作用する。しかも、第１粘着層１１は、ヘア材５の植え付けられた上記ベース３と、該ベース３と同一のフィルム状素材からなるタンク層１３により積層接着され、サンドイッチ構造となっている。よって比較的強い粘着力を有する第１粘着層１１による縮減力を規制するので、ベース３がくしゃくしゃに縮減するのを防止する。
【００５２】
またタンク層１３がベース３と同一のフィルム状素材からなるため、粘着剤との相性がアンバランスとならず、この点でもベース３が過度に縮減傾向となることを防止し、また、水分吸湿性の低下を防止する。
【００５３】
加えて、第１粘着層１１は、ヘア材５の植え付けられた上記ベース３と、該ベース３と同一のフィルム状素材からなるタンク層１３により積層接着され、サンドイッチ構造となっているため、ベース３が過度に縮減傾向とならない。
【００５４】
よってベース３が縮んでいないので、ユーザによる装着の際、取扱いが容易であり、また取外しの際ベース３に引張負荷がかかっても伸び過ぎが制約されるので、ハンドリングの容易性がある。
【００５５】
<３．リメイクの容易性>
汎用かつら１は、定期的に第２粘着層１５を交換することにより再利用可能となる。リメイクの際に第２粘着層１５は除去される。
【００５６】
第２粘着層１５の除去は、例えば擦り取りの如き物理的な除去である。この除去において、第２粘着層１５は、その構成面が上記のようなヘア材５の芯材作用や多層構造により、３次元的に変形したり縮減したりすることが防止される。
【００５７】
よって第２粘着層１５の除去が容易であり、リメイク可能であり、かつ、リメイクの容易性がある。
【００５８】
<４．その他の効果>
タンク層１３がベース３と同一のフィルム状素材からなり、かつ厚さがベース３と同一であるため、皮膚２０に装着した際透過性がある。よってベース３のてかりを防止し、かつらであることの見分けが困難となる効果がある。この点につき、タンク層１３がベース３と異素材であったり、厚さが過度に大であったりすると、透過性がアンバランスとなり、かつらであることの判別が容易となる難がある。
【００５９】
本願発明は上記実施の形態に制限されない。例えば、ベース３及びタンク層１３の厚さは上記実施の形態よりさらに極薄の例えば１０μｍ程度とすることができる。また上記実施の形態で述べたヘア材５の直径の寸法も一例として理解すべきである。また適用部位は人体の皮膚であれば頭部に限られない。
【産業上の利用可能性】
【００６０】
本願発明による汎用かつらは例えば頭部のかつらとして活用することができる。
【符号の説明】
【００６１】
１      汎用かつら
３      ベース
５      ヘア材
７      根部
９      紫外線（ＵＶ）硬化剤
１１    第１粘着層
１３    タンク層
１５    第２粘着層
１７    剥離紙
２０    皮膚
２１    角質層
２２    自毛
２３    供給ピン
【図１】
0005419043.tif 000002
【図２】
0005419043.tif 000003
【図３】
0005419043.tif 000004
【図４】
0005419043.tif 000005
【図５】
0005419043.tif 000006
【図６】
0005419043.tif 000007
【図７】
0005419043.tif 000008
【図８】
0005419043.tif 000009
【図９】
0005419043.tif 000010
【図１０】
0005419043.tif 000011